【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
使用者の呼吸を補助するシステムであって、
ａ）前記使用者の口腔内に位置決めされる本体を含む口腔用器具であり、前記本体が、前記口腔の後部領域内に、および／または前記口腔の後部領域から空気流を送るために前記口腔内に設けられた少なくとも１つの口内開口と流体連通している、前記使用者の口唇間に空気が流れることを可能にする少なくとも１つの口外開口を画定する、口腔用器具と、
ｂ）
ｉ）前記器具を介して自然に呼吸ができるように構成された、前記器具の前記少なくとも１つの口外開口に接続された筐体、および
ｉｉ）前記器具の前記少なくとも１つの口外開口に接続された、気道陽圧（ＰＡＰ）デバイスから空気を受けるコネクタ・システム、のうちの少なくとも１つと
を含む、システム。
【請求項２】
前記少なくとも１つの口外開口が、前記器具から少なくとも部分的に突出する少なくとも１つの接続部分の一部として設けられ、前記コネクタ・システムが、前記口腔用器具の前記少なくとも１つの接続部分に接続する少なくとも１つの出口を画定する本体を有するコネクタを含み、かつ前記ＰＡＰデバイスからの空気が、
ａ）前記使用者の鼻、
ｂ）前記気道を介する前記口腔用器具、ならびに
ｃ）前記気道を介する前記鼻および前記口腔用器具
のうちの少なくとも１つを通って前記使用者に送られる、請求項１に記載のシステム。
【請求項３】
前記口外開口のうちの少なくとも１つが、前記器具を介して自然に呼吸が可能になるように操作可能な呼吸口を画定し、前記コネクタの本体が、任意選択で前記呼吸口と流体連通する通気口を含み、前記呼吸口および前記コネクタの本体の前記通気口のうちの少なくとも１つが、任意選択で自然呼吸を制御する調節可能弁または一方向弁のうちの少なくとも１つを含む、請求項２に記載のシステム。
【請求項４】
前記本体が少なくとも２つのチャネルをさらに画定し、各チャネルが、口内開口を前記少なくとも１つの口外開口に接続し、各チャネルが、少なくとも部分的に頬側口腔に沿って延びかつ少なくとも部分的に歯と歯の間に延びるか、そのうちの少なくとも一方で延びることによって、前記使用者に気道を提供し、かつ前記器具の各側のチャネルが、第１の気道および第２の気道を画定するように分割される、請求項１から３のいずれか一項に記載のシステム。
【請求項５】
ａ）前記器具の前記本体が、
ｉ）前記第１の気道を介して第１の口内開口と流体連通する第１の口外開口、および
ｉｉ）前記第２の気道を介して第２の口内開口と流体連通する第２の口外開口
を画定し、
ｂ）前記コネクタの本体が、前記ＰＡＰデバイスからの空気が前記第１の気道を通して前記器具内に送られるように、前記第１の口外開口に接続され、
ｃ）前記第２の気道が、
ｉ）自然呼吸、および
ｉｉ）呼息
のうちの少なくとも一方に使用される、請求項４に記載のシステム。
【請求項６】
空気の圧力および／または流れを、前記第１の気道および前記第２の気道のそれぞれに、別個におよび／または関連して送達することができる、もしくは、前記第１の気道が、前記使用者の頬側口腔に沿って延び、前記第２の気道が、
ａ）前記使用者の上顎歯と下顎歯の間に延びる、および
ｂ）前記使用者の上顎歯と下顎歯の間で、かつ前記使用者の頬側口腔に沿って延びる、
のうちの少なくとも一方で延びる、請求項５に記載のシステム。
【請求項７】
前記コネクタ・システムが、前記ＰＡＰデバイスから空気を受ける入口と前記器具および／または前記使用者の鼻に空気を送り込む１つまたは複数の出口との間に少なくとも１つの通路を画定するコネクタ本体を含み、少なくとも１つの入口弁が、前記コネクタを通る圧力および／または流れを調節するために前記入口の下流側に設けられ、第１の入口弁が、前記器具に流入する圧力および／または流れを調節するために設けられ、第２の入口弁が、前記使用者の鼻に空気を送り込む鼻接続部分に流入する圧力および／または流れを調節するために、前記第１の入口弁の下流側に設けられる、請求項１に記載のシステム。
【請求項８】
前記コネクタ本体が、
ａ）前記器具の１つまたは複数の対応する第１の口外開口に接続して前記ＰＡＰデバイスからの空気が前記器具に流入できるようにする、１つまたは複数の第１の出口、
ｂ）前記器具の１つまたは複数の対応する第２の口外開口に接続して自然呼吸を容易にする、１つまたは複数の開口、および
ｃ）前記１つまたは複数の開口と流体連通する１つまたは複数の呼吸口
のうちの少なくとも１つを含む、請求項７に記載のシステム。
【請求項９】
前記鼻接続部分が、前記コネクタ本体の１つまたは複数の第２の出口に接続され、鼻カニューレが、任意選択で前記鼻接続部分に接続され、前記鼻接続部分および／または前記鼻カニューレが、任意選択で前記コネクタ本体に対して回転可能に可動および／または摺動可能に可動のうちの一方であり、鼻ピローが、任意選択で前記鼻カニューレに挿入される、請求項７または８に記載のシステム。
【請求項１０】
前記鼻ピローが、前記鼻カニューレに対して摺動可能に可動である、ならびに／もしくは、呼息口が、前記鼻接続部分および／または前記鼻カニューレに設けられる、請求項９に記載のシステム。
【請求項１１】
ａ）１つまたは複数のセンサが、
ｉ）体または頭部の位置、
ｉｉ）空気圧、
ｉｉｉ）空気流量、
ｉｖ）温度、
ｖ）湿度、および
ｖｉ）動き
のうちの少なくとも１つの指標を測定するために、前記コネクタ本体および／もしくは前記鼻接続部分内、または前記コネクタ本体および／もしくは前記鼻接続部分上に設けられ、
ｂ）前記１つまたは複数のセンサが、任意選択で前記コネクタ本体および／または前記鼻接続部分の前記１つまたは複数の呼吸口および／または呼息口の近傍に位置決めされる、請求項１０に記載のシステム。
【請求項１２】
自然呼吸を可能にする前記少なくとも１つの口外開口に接続された前記筐体が、
ａ）弁／絞り、ならびに
ｂ）熱および水分交換器
のうちの少なくとも１つを含む、請求項１に記載のシステム。
【請求項１３】
ａ）前記コネクタ・システムが、
ｉ）前記少なくとも１つの口外開口が設けられた前記使用者の口唇を越えて延びる前記器具の口外部分に結合されたインタフェースと、
ｉｉ）前記インタフェースに結合されたアダプタと、
ｉｉｉ）前記アダプタに結合された鼻チューブ・ホルダと、
ｉｖ）前記使用者の鼻にＰＡＰを送達することを可能にする、前記鼻チューブ・ホルダに取外し可能に取り付けられた、前記ＰＡＰデバイスから空気を受ける鼻チューブと
を含み、
ｂ）前記鼻チューブ・ホルダが、任意選択で、その前面に、前記器具の前記少なくとも１つの口外開口と流体連通する１つまたは複数の呼吸口を含み、
ｃ）一方向弁、ならびに／または熱および水分交換器が、任意選択で、前記鼻チューブ・ホルダの前記呼吸口のうちの１つの奥に位置決めされる、請求項１に記載のシステム。
【請求項１４】
使用者の口腔内に位置決めされる本体を含む、呼吸を補助する装置であって、前記本体が、
ａ）前記使用者の口唇間に空気が流れるように構成された少なくとも１つの第１の口外開口および第２の口外開口と、
ｂ）前記口腔の後部領域に空気の流れが出入りすることを可能にするために前記口腔内に設けられた少なくとも２つの口内開口と、
ｃ）少なくとも２つのチャネルであり、各チャネルが、各口内開口を前記第１の口外開口および前記第２の口外開口のうちの少なくとも１つに接続し、各チャネルが、少なくとも部分的に頬側口腔に沿って延びかつ少なくとも部分的に歯と歯の間に延びるか、そのうちの少なくとも一方で延びることによって、前記使用者に気道を提供し、前記気道が、少なくとも部分的に鼻腔を迂回し、健康な鼻腔および咽頭口腔空間を再現するように作用する、少なくとも２つのチャネルとを画定する、装置。
【請求項１５】
ａ）第１の気道が、第１の口外開口と第１の口内開口の間に設けられ、第２の気道が、第２の口外開口と第２の口内開口の間に設けられ、前記第１の気道が前記第２の気道から分離され、
ｂ）前記第１の気道が、任意選択で少なくとも部分的に頬側口腔に沿って延び、前記第２の気道が、
ｉ）少なくとも部分的に前記使用者の上顎歯と下顎歯の間に延びる、および
ｉｉ）少なくとも部分的に前記使用者の上顎歯と下顎歯の間で、かつ少なくとも部分的に頬側口腔に沿って延びる、
のうちの少なくとも一方で延び、
ｃ）前記第１の気道と前記第２の気道とが、前記第１の気道が、任意選択で、
ｉ）前記第２の気道の上方、および
ｉｉ）前記第２の気道の外側の側方、
のうちの少なくとも一方に位置決めされるように分離され、
ｄ）前記第１の気道が、吸息時に使用され、前記第２の気道が、呼息時に使用される、請求項１４に記載の装置。
【請求項１６】
ａ）前記少なくとも１つの第１の口外開口が、気道陽圧（ＰＡＰ）デバイスからの空気供給部に接続可能であり、かつ任意選択で、前記ＰＡＰデバイスから空気を受ける入口と流体連通する本体と、前記少なくとも１つの第１の口外開口に接続されて前記少なくとも１つの第１の口外開口に空気を供給する少なくとも１つの出口とを有するコネクタを含むコネクタ・システムに接続可能であり、
ｂ）前記少なくとも１つの第２の口外開口が、前記コネクタの本体の少なくとも１つの開口に接続されることにより、前記コネクタの少なくとも一部を介して自然呼吸が可能になる、請求項１４または１５に記載の装置。
【請求項１７】
前記少なくとも１つの第１の口外開口および第２の口外開口が、前記使用者の口唇を越えて延び、ほぼ楕円形の断面を有する前記装置の口外部分に設けられる、および／または、前記少なくとも１つの第２の口外開口が、
ａ）体または頭部の位置、
ｂ）空気圧、
ｃ）空気流量、
ｄ）温度、
ｅ）湿度、および
ｆ）動き
のうちの少なくとも１つの指標を測定する少なくとも１つのセンサを有するセンサ筐体に接続可能である、請求項１４から１６のいずれか一項に記載の装置。
【請求項１８】
使用者の呼吸を補助する口腔用器具に接続するコネクタ・システムであって、前記口腔用器具の少なくとも１つの口外開口に接続可能な本体を有するコネクタであり、前記本体が、気道陽圧（ＰＡＰ）デバイスから空気を受ける入口と、前記ＰＡＰデバイスからの空気を前記口腔用器具の前記少なくとも１つの口外開口および前記使用者の鼻のうちの少なくとも一方に送達する、前記入口と流体連通している少なくとも１つの出口との間に、少なくとも１つの通路を画定するコネクタを含む、コネクタ・システム。
【請求項１９】
少なくとも１つの入口弁が、前記コネクタを通る圧力および／または流れを調節するために前記入口の下流側に設けられ、第１の入口弁が、任意選択で前記器具に流入する圧力および／または流れを調節するために設けられ、第２の入口弁が、任意選択で前記使用者の鼻に空気を送り込む鼻接続部分に流入する圧力および／または流れを調節するために、前記第１の入口弁の下流側に設けられる、請求項１８に記載のコネクタ・システム。
【請求項２０】
前記コネクタの本体が、
ａ）前記器具の１つまたは複数の対応する第１の口外開口に接続して前記ＰＡＰデバイスからの空気が前記器具に流入できるようにする、１つまたは複数の第１の出口を含む、
ｂ）前記器具の１つまたは複数の対応する第２の口外開口に接続して自然呼吸を容易にする、１つまたは複数の開口を含む、
ｃ）前記１つまたは複数の開口と流体連通する１つまたは複数の呼吸口を含む、および
ｄ）３Ｄ印刷または成形される、
うちの少なくとも１つである、請求項１８または１９に記載のコネクタ・システム。
【請求項２１】
前記鼻接続部分が、前記コネクタの本体の１つまたは複数の第２の出口に接続され、鼻カニューレが、任意選択で前記鼻接続部分に接続され、前記鼻接続部分および／または前記鼻カニューレが、任意選択で前記コネクタ本体に対して回転可能に可動および／または摺動可能に可動のうちの一方であり、鼻ピローが、任意選択で前記鼻カニューレに挿入される、請求項１９または２０に記載のコネクタ・システム。
【請求項２２】
前記鼻ピローが、前記鼻カニューレに対して摺動可能に可動である、ならびに／もしくは、呼息口が、前記鼻接続部分および／または前記鼻カニューレに設けられる、請求項２１に記載のコネクタ・システム。
【請求項２３】
前記コネクタが、
ａ）前記少なくとも１つの口外開口が設けられた前記使用者の口唇を越えて延びる前記器具の口外部分に結合されたインタフェースと、
ｂ）前記インタフェースに結合されたアダプタと、
ｃ）前記アダプタに結合された鼻チューブ・ホルダと、
ｄ）前記使用者の鼻にＰＡＰを送達することを可能にする、前記鼻チューブ・ホルダに取外し可能に取り付けられた、前記ＰＡＰデバイスから空気を受ける鼻チューブと
を含む多部品本体を有する、請求項１８に記載のコネクタ・システム。